(57)【特許請求の範囲】
【請求項１】
複数の光源と、
前記複数の光源が発する光を変調する変調部と、
前記変調部で変調された光を投写するレンズ群と、
前記レンズ群のレンズを移動させるレンズシフト部と、
前記レンズ群を透過した光の光量比を測定するセンサーと、
前記レンズ群の位置と、前記センサーの測定値と、前記複数の光源のうちの基準光源の光量の調整値とを対応付けて記憶する記憶部と、
前記レンズ群の位置に応じて、当該位置に対応付けられている測定値および調整値を前記記憶部から取得し、取得した調整値に基づいて前記基準光源の光量を制御し、取得した調整値および測定値に基づいて前記基準光源以外の光源の光量を制御する光量制御部と、
前記レンズ群の位置に応じて、当該位置に対応付けられている測定値を前記記憶部から取得し、前記センサーの測定値と前記記憶部から取得した測定値とに応じて、当該位置に対応付けて前記記憶部に記憶されている調整値を更新する更新部と、
を有する表示装置。
【請求項２】
前記複数の光源は、赤色光を発する第１光源と、緑色光を発する第２光源と、青色光を発する第３光源であり、前記基準光源は、前記第２光源である
請求項１に記載の表示装置。
【請求項３】
前記複数の光源は、第１光源と第２光源であり、
前記第２光源が発する光から赤色光と緑色光とを生成する生成部を有し、
前記生成部で生成された赤色光と緑色光とが前記変調部へ入射し、
前記基準光源は、前記第２光源である
請求項１に記載の表示装置。
【請求項４】
複数の光源と、
前記複数の光源が発する光を変調する変調部と、
前記変調部で変調された光を投写するレンズ群と、
前記レンズ群のレンズを移動させるレンズシフト部と、
前記レンズ群を透過した光の光量比を測定するセンサーと、
前記レンズ群の位置と、前記センサーの測定値と、前記複数の光源のうちの基準光源の光量の調整値とを対応付けて記憶する記憶部と、
を有する表示装置において前記複数の光源の光量を制御する方法であって、
前記レンズ群の位置に応じて、当該位置に対応付けられている測定値および調整値を前記記憶部から取得し、取得した調整値に基づいて前記基準光源の光量を制御し、取得した調整値および測定値に基づいて前記基準光源以外の光源の光量を制御する工程と、
前記レンズ群の位置に応じて、当該位置に対応付けられている測定値を前記記憶部から取得し、前記センサーの測定値と前記記憶部から取得した測定値とに応じて、当該位置に対応付けて前記記憶部に記憶されている調整値を更新する工程と、
を有する制御方法。
【請求項５】
前記記憶部に記憶された測定値は、
前記複数の光源が発した光の光量比を外部の測定器で測定し、測定された光量比が所定の光量比となったときの前記センサーの測定値である
請求項４に記載の制御方法。
【発明の詳細な説明】
【技術分野】
【０００１】
本発明は、表示装置および制御方法に関する。
【背景技術】
【０００２】
一つのランプを光源とするプロジェクターにおいて映像全体のむらを補正する発明として例えば特許文献１に開示された液晶プロジェクターがある。この液晶プロジェクターは、スクリーンに投影された映像を分割して各々の位置における照度、色度を測定し、分割された各部分に対応した液晶パネル位置の駆動レベルを独立して設定し、補正データとしてメモリーに格納する。また、液晶プロジェクターは、この動作を複数の異なるレンズシフトの位置に対して行う。そして液晶プロジェクターの使用時には、レンズシフト位置に応じた補正データを読み込み、液晶パネル位置に対応した補正データを用いて液晶パネルを駆動する。特許文献１の発明によれば、投写される画像の照度や色度がレンズシフトを行うことにより変化するのを防ぐことができる。
【先行技術文献】
【特許文献】
【０００３】
【特許文献１】特開２００３−１８５０２号公報
【発明の概要】
【発明が解決しようとする課題】
【０００４】
ところで、プロジェクターにおいては、複数の光源を有するものがある。複数の光源を有するプロジェクターの場合、各光源は経時変化により出力が変化するが、経時変化の度合いが各光源で異なるため、ホワイトバランスが経時変化により崩れることとなる。
【０００５】
本発明は、上述した事情に鑑みてなされたものであり、その目的の一つは、光源の経時変化が発生しても、ホワイトバランスが変化するのを抑えることにある。
【課題を解決するための手段】
【０００６】
本発明は、複数の光源と、前記複数の光源が発する光を変調する変調部と、前記変調部で変調された光を投写するレンズ群と、前記レンズ群のレンズを移動させるレンズシフト部と、前記レンズ群を透過した光の光量比を測定するセンサーと、前記レンズ群の位置と、前記センサーの測定値と、前記複数の光源のうちの基準光源の光量の調整値とを対応付けて記憶する記憶部と、前記レンズ群の位置に応じて、当該位置に対応付けられている測定値および調整値を前記記憶部から取得し、取得した調整値に基づいて前記基準光源の光量を制御し、取得した調整値および測定値に基づいて前記基準光源以外の光源の光量を制御する光量制御部と、前記レンズ群の位置に応じて、当該位置に対応付けられている測定値を前記記憶部から取得し、前記センサーの測定値と前記記憶部から取得した測定値とに応じて、当該位置に対応付けて前記記憶部に記憶されている調整値を更新する更新部と、を有する表示装置を提供する。
本発明によれば、光源の経時変化が発生して光源の光量が変化しても、光源が発する光の光量が制御されるため、ホワイトバランスが変化するのを抑えることができる。
【０００７】
本発明においては、前記複数の光源は、赤色光を発する第１光源と、緑色光を発する第２光源と、青色光を発する第３光源であり、前記基準光源は、前記第２光源である構成としてもよい。
この構成によれば、第２光源の光量の調整値とセンサーの測定値とから第１光源と第２光源の光量を調整し、ホワイトバランスを調整することができる。
【０００８】
また、本発明においては、前記複数の光源は、第１光源と第２光源であり、前記第２光源が発する光から赤色光と緑色光とを生成する生成部を有し、前記生成部で生成された赤色光と緑色光とが前記変調部へ入射し、前記基準光源は、前記第２光源である構成としてもよい。
この構成によれば、第２光源の光量の調整値とセンサーの測定値とから第１光源の光量を調整し、ホワイトバランスを調整することができる。
【０００９】
また、本発明は、複数の光源と、前記複数の光源が発する光を変調する変調部と、前記変調部で変調された光を投写するレンズ群と、前記レンズ群のレンズを移動させるレンズシフト部と、前記レンズ群を透過した光の光量比を測定するセンサーと、前記レンズ群の位置と、前記センサーの測定値と、前記複数の光源のうちの基準光源の光量の調整値とを対応付けて記憶する記憶部と、を有する表示装置において前記複数の光源の光量を制御する方法であって、前記レンズ群の位置に応じて、当該位置に対応付けられている測定値および調整値を前記記憶部から取得し、取得した調整値に基づいて前記基準光源の光量を制御し、取得した調整値および測定値に基づいて前記基準光源以外の光源の光量を制御する工程と、前記レンズ群の位置に応じて、当該位置に対応付けられている測定値を前記記憶部から取得し、前記センサーの測定値と前記記憶部から取得した測定値とに応じて、当該位置に対応付けて前記記憶部に記憶されている調整値を更新する工程と、を有する制御方法を提供する。
本発明によれば、光源の経時変化が発生して光源の光量が変化しても、光源が発する光の光量が制御されるため、ホワイトバランスが変化するのを抑えることができる。
【００１０】
本発明においては、前記記憶部に記憶された測定値は、前記複数の光源が発した光の光量比を外部の測定器で測定し、測定された光量比が所定の光量比となったときの前記センサーの測定値である構成としてもよい。
この構成によれば、ホワイトバランスを、外部の測定器で正確に測定されて調整されたときのものにすることができる。
【図面の簡単な説明】
【００１１】
【図１】プロジェクター１のハードウェア構成を示した図。
【図２】投写レンズ群２４の移動位置の一例を示した図。
【図３】制御部１０において実現する機能の機能ブロック図。
【図４】光量調整モードにおける調整手順を示したフローチャート。
【図５】測定器２の測定結果の一例を示した図。
【図６】ホワイトバランス調整モードにおける調整手順を示したフローチャート。
【図７】記憶部１５に記憶された調整値と測定値の一例を示した図。
【図８】自動調整モードにおける調整手順を示したフローチャート。
【図９】記憶部１５に記憶された調整値と測定値の一例を示した図。
【発明を実施するための形態】
【００１２】
［実施形態］
（実施形態の構成）
図１は、本発明の一実施形態に係るプロジェクター１のハードウェア構成を示した図である。プロジェクター１は、入力された映像信号により示される画像をスクリーンＳＣに投写する表示装置である。プロジェクター１は、製造時においては、スクリーンＳＣに投写した画像を測定する測定器２を用いて調整される。
【００１３】
操作部１６は、プロジェクター１を操作するための複数のボタンを備えている。操作されたボタンに応じて制御部１０が各部を制御することにより、スクリーンＳＣに投写される画像の調整や、プロジェクター１が有する各種機能の設定などが行われる。
【００１４】
インターフェース１１は、例えば、ＤＶＩ（Digital Visual Interface）端子、ＵＳＢ（Universal Serial Bus）端子、ＬＡＮ端子、映像信号が入力されるＳ端子、コンポジット映像信号が入力されるＲＣＡ端子、コンポーネント映像信号が入力されるＤ端子、ＨＤＭＩ（High-Definition Multimedia Interface：登録商標）規格に準拠したＨＤＭＩ端子等を有する。
選択部１２は、制御部１０により制御され、インターフェース１１において映像信号が入力されるいずれかの端子を選択し、選択した端子に入力されている映像信号を画像処理部３１へ供給する。
画像処理部３１は、選択部１２から供給される映像信号を取得する。画像処理部３１は、投写する画像の明るさやコントラスト、色合いの調整など各種の画像処理機能を備えており、供給された映像信号に対して各種の画像処理を施す。画像処理部３１は、画像処理が施された映像信号をパネル駆動部３２へ供給する。
【００１５】
パネル駆動部３２は、画像処理部３１から供給される映像信号を取得する。パネル駆動部３２が取得する映像信号は、投写する画像における赤の成分の階調を表す階調データ、投写する画像における緑の成分の階調を表す階調データ及び投写する画像における青の成分の階調を表す階調データを有する。パネル駆動部３２は、赤、緑、青の各色の階調データを取得した映像信号から抽出し、抽出した各色の階調データに基づいてパネル２２Ｒ、パネル２２Ｇおよびパネル２２Ｂを駆動する。
【００１６】
光源制御部５０は、レーザー光源４２Ｒ、４２Ｇ、４２ＢをＰＷＭ（Pulse Width Modulation）制御することにより、レーザー光源４２Ｒ、４２Ｇ、４２Ｂが発する光の光量を調整する機能を有する。光源制御部５０は、制御部１０から入力される制御信号に従って、パルス信号の周波数と、パルス幅（オン期間）を制御し、レーザー光源４２Ｒの発光を制御するパルス信号ＰＳ１、レーザー光源４２Ｇの発光を制御するパルス信号ＰＳ２、レーザー光源４２Ｂの発光を制御するパルス信号ＰＳ３を投写部２０へ出力する。
【００１７】
投写部２０は、光源部２１、光変調部２２、光学部２３を有している。光源部２１は、光源ドライバー４１Ｒ、４１Ｇ、４１Ｂ、レーザー光源４２Ｒ、４２Ｇ、４２Ｂ、拡散板４３Ｒ、４３Ｇ、４３Ｂを有する。また、光変調部２２は、パネル２２Ｒ、２２Ｇ、２２Ｂを有し、光学部２３は、投写レンズ群２４およびレンズシフト機構２６を有する。
【００１８】
投写部２０の光源ドライバー４１Ｒ、４１Ｇ、４１Ｂは、光源制御部５０から供給されるパルス信号ＰＳ１、ＰＳ２、ＰＳ３に従ってレーザー光源４２Ｒ、４２Ｇ、４２Ｂを駆動する。光源ドライバー４１Ｒは、パルス信号ＰＳ１のパルスがオンになるとレーザー光源４２Ｒを点灯させ、パルス信号ＰＳ１のパルスがオフになるとレーザー光源４２Ｒを消灯させる。光源ドライバー４１Ｇは、パルス信号ＰＳ２のパルスがオンになるとレーザー光源４２Ｇを点灯させ、パルス信号ＰＳ２のパルスがオフになるとレーザー光源４２Ｇを消灯させる。光源ドライバー４１Ｂは、パルス信号ＰＳ３のパルスがオンになるとレーザー光源４２Ｂを点灯させ、パルス信号ＰＳ３のパルスがオフになるとレーザー光源４２Ｂを消灯させる。
各レーザー光源は、発する光の光量が、パルス信号のオンとなる期間に応じて変化する。
【００１９】
レーザー光源４２Ｒ、４２Ｇ、４２Ｂは、半導体レーザー素子を有している。レーザー光源４２Ｒ（第１光源）は、光源ドライバー４１Ｒによって駆動されて赤色レーザー光を発し、レーザー光源４２Ｇ（第２光源）は、光源ドライバー４１Ｇによって駆動されて緑色レーザー光を発する。また、レーザー光源４２Ｂ（第３光源）は、光源ドライバー４１Ｂによって駆動されて青色レーザー光を発する。
【００２０】
拡散板４３Ｒ、４３Ｇ、４３Ｂは、レーザー光を拡散するものである。拡散板４３Ｒで拡散されたレーザー光は、光変調部２２のパネル２２Ｒに入射し、拡散板４３Ｇで拡散されたレーザー光は、光変調部２２のパネル２２Ｇに入射し、拡散板４３Ｂで拡散されたレーザー光は、光変調部２２のパネル２２Ｂに入射する。
【００２１】
光変調部２２においては、パネル２２Ｒは、入射する赤色レーザー光を変調するパネルであり、パネル２２Ｇは、入射する緑色レーザー光を変調するパネルである。また、パネル２２Ｂは、入射する青色レーザー光を変調するパネルである。パネル２２Ｒ、２２Ｇ、２２Ｂは、透過型の液晶パネルであり、複数行複数列でマトリクス状に配置された画素を備えている。パネル２２Ｒは、赤の階調データに基づいてパネル駆動部３２により駆動され、パネル２２Ｇは、緑の階調データに基づいてパネル駆動部３２により駆動され、パネル２２Ｂは、青の階調データに基づいてパネル駆動部３２により駆動される。パネル２２Ｒ、２２Ｇ、２２Ｂは、パネル駆動部３２によって駆動されて各画素の透過率が制御される。画素の透過率が制御されることにより、パネル２２Ｒ、２２Ｇ、２２Ｂを透過した各色の光は、各階調データに対応した画像となる。パネル２２Ｒ、２２Ｇ、２２Ｂで変調された光は、図示省略したダイクロイックプリズムにより合成されて光学部２３に導かれる。
【００２２】
光学部２３においては、投写レンズ群２４は、ダイクロイックプリズムで合成されて光学部２３に導かれた光をスクリーンＳＣに投写して結像させるためのレンズ群であり、複数のレンズを有する。
レンズシフト機構２６は、投写レンズ群２４の位置を移動させるものである。レンズシフト機構２６は、投写レンズ群２４を上下左右に移動させるための機構を有する。投写レンズ群２４の位置が変化すると、スクリーンＳＣに投写される画像の位置は、変化した投写レンズ群２４の位置に応じて上下左右に変化する。
【００２３】
光学系制御部３４は、シフト制御部３６を有する。シフト制御部３６は、レンズシフト機構２６を制御するものであり、図示省略したモーターを有する。モーターの回転は、レンズシフト機構２６に伝達される。シフト制御部３６は、制御部１０により制御されてモーターの回転を制御し、投写レンズ群２４の位置を制御する。
シフト制御部３６とレンズシフト機構２６の協同により、投写レンズ群２４が移動する。シフト制御部３６およびレンズシフト機構２６は、投写レンズ群２４を移動させるレンズシフト部の一例である。
【００２４】
なお、投写レンズ群２４の位置は、図２に示したように、プロジェクター１の接地面に水平な方向をＸ軸、垂直な方向をＹ軸としたＸＹ直交座表系で示され、位置の原点（０，０）は、左上に相当する位置に設定され、Ｘ軸方向における移動範囲の最大値を１００、Ｙ軸方向における移動範囲の最大値を１００として表す。本実施形態では、投写レンズ群２４は、図２に示した位置Ａ〜位置Ｅへ移動するが、移動する位置は、位置Ａ〜位置Ｅに限定されるものではなく、移動範囲内の他の位置へ移動させるようにすることも可能である。
【００２５】
センサー１４は、レーザー光源４２Ｒから出力されて投写レンズ群２４を通過した赤色光の光量、レーザー光源４２Ｇから出力されて投写レンズ群２４を通過した緑色光の光量およびレーザー光源４２Ｂから出力されて投写レンズ群２４を通過した青色光の光量の比を測定し、測定した光量比を示す信号を制御部１０へ出力する。なお、センサー１４においては、減光フィルターを設け、入射する光を減光させるようにしてもよい。
【００２６】
記憶部１５は、不揮発性メモリーであり、各種データを記憶する。本実施形態においては、記憶部１５は、センサー１４の測定結果や各レーザー光源の光量の調整値などを記憶する。
【００２７】
制御部１０は、ＣＰＵ（Central Processing Unit）、ＲＯＭ（Read Only Memory）およびＲＡＭ（Random Access Memory）を有する。制御部１０は、ＲＯＭに記憶された制御プログラムを読み出して実行する。制御プログラムを実行した制御部１０は、操作部１６から供給される信号に基づいて、ユーザーが行った操作の内容を特定し、この操作に応じて選択部１２、画像処理部３１、パネル駆動部３２、光学系制御部３４及び光源制御部５０を制御して、スクリーンＳＣに画像を投写する。
【００２８】
また、制御部１０においては、制御プログラムを実行することにより、レーザー光源の光量の調整値を制御する機能や記憶部１５に記憶された調整値や測定値を更新する機能が実現する。
図３は、調整に係る機能の機能ブロック図である。
光量制御部１００は、記憶部１５に記憶されている調整値と光量比を取得し、取得した調整値および光量比に基づいて、制御信号を光源制御部５０へ出力し、レーザー光源４２Ｒ、レーザー光源４２Ｇおよびレーザー光源４２Ｂの光量を制御する。
更新部１０２は、投写レンズ群２４の位置に応じて、当該位置に対応付けられている光量比を記憶部１５から取得し、センサー１４が測定した光量比と記憶部１５から取得した光量比とに応じて、投写レンズ群２４の位置に対応付けられて記憶部１５に記憶されている調整値を更新する。
【００２９】
（実施形態の動作例）
次に本実施形態の動作例について説明する。なお、以下の説明においては、製造時において作業者がプロジェクター１を調整するときの動作と、経時変化によりレーザー光源の出力が変化したときの動作について説明する。
【００３０】
（製造時において調整するときの動作例）
プロジェクター１の製造工程においてプロジェクター１を調整するときの動作例について、図４のフローチャートを用いて説明する。作業者は、レーザー光源の出力値を調整する際には、操作部１６を操作し、プロジェクター１のモードを、レーザー光源の光量を調整する光量調整モードにする。制御部１０は、光量調整モードに移行すると、シフト制御部３６を制御し、投写レンズ群２４の位置を所定位置に移動させる（ステップＳＡ１）。本実施形態においては、所定位置は、例えば図２に示した位置Ａである。なお、所定位置は、位置Ａに限定されるものではなく、他の位置であってもよい。
【００３１】
また、制御部１０は、基準光として予め定められている緑色光を発するレーザー光源４２Ｇの光量が所定光量となるように光源制御部５０を制御する（ステップＳＡ２）。ここで、所定光量は、例えば、レーザー光源４２Ｇが出力可能な最大の光量である。制御部１０は、所定光量を示す制御信号を光源制御部５０へ出力する。光源制御部５０は、制御部１０から供給された制御信号に応じて、パルス信号ＰＳ２を生成し、生成したパルス信号ＰＳ２を光源ドライバー４１Ｇへ出力する。光源ドライバー４１Ｇは、パルス信号ＰＳ２に応じてレーザー光源４２Ｇを点灯させ、所定光量の緑色光を発する。
【００３２】
作業者は、測定器２を操作し、スクリーンＳＣに投写された画像内の所定位置について、基準光である緑色光、即ち、レーザー光源４２Ｇから出力されてスクリーンＳＣに到達した緑色光の照度を測定する（ステップＳＡ３）。作業者は、投写レンズ群２４の位置が所定位置にあるときの緑色光の照度の測定が終了すると、操作部１６を操作し、他の複数の位置（図２の位置Ｂ〜位置Ｅ）へ投写レンズ群２４を移動させ、移動した各位置においても画像内の所定位置の緑色光の照度の測定を行う。
【００３３】
プロジェクター１においては、各レーザー光源の光量を一定としたまま投写レンズ群２４を移動させると、各レーザー光源から投写レンズ群２４までの光路長が変化し、投写される画像の照度が変化する。このため、投写レンズ群２４を移動させると、図２に示した位置Ａ〜位置Ｅにおける緑色光の照度は、例えば、図５に示したように異なるものとなる。
【００３４】
作業者は、位置Ａ〜位置Ｅにおいて緑色光の照度の測定が終了すると、測定した照度が最少の位置を特定し（ステップＳＡ４）、この時点のレーザー光源４２Ｇの光量を示す値（光量の調整値）を、特定した位置（以下、基準位置と称する）に対応付けて記憶部１５に記憶させる（ステップＳＡ５）。
【００３５】
次に作業者は、操作部１６を操作して基準位置とは異なる位置へ投写レンズ群２４を移動させ（ステップＳＡ６）、移動した位置における緑色光の照度が、基準位置の緑色光の照度と同じ照度となるように操作部１６を操作してレーザー光源４２Ｇの光量を調整する（ステップＳＡ７）。作業者は、測定器２が測定した緑色光の照度が基準位置における緑色光の照度と同じとなると、調整された光量を示す値（光量の調整値）を、この時点の投写レンズ群２４の位置に対応付けて記憶部１５に記憶させる（ステップＳＡ８）。作業者は、投写レンズ群２４の他の位置についても、同様に操作部１６を操作してレーザー光源４２Ｇの光量を調整し、光量の調整値と投写レンズ群２４の位置とを対応付けて記憶部１５に記憶させる。
【００３６】
作業者は、基準位置と異なる全ての位置についてレーザー光源４２Ｇの光量の調整が終了すると（ステップＳＡ９でＹＥＳ）、光量調整モードを終了させる操作を操作部１６において行う（ステップＳＡ１０）。光量調整モードが終了し、位置Ａ〜位置Ｅの各々に対応付けてレーザー光源４２Ｇの光量の調整値が記憶されると、制御部１０は、レーザー光源４２Ｇについては、投写レンズ群２４の位置に対応付けて記憶されている調整値を記憶部１５から取得し、取得した調整値を用いてレーザー光源４２Ｇを制御する。これにより、投写レンズ群２４を移動させた場合、緑色光の照度が基準位置のときの照度と同じ照度となるようにレーザー光源４２Ｇの光量が制御されるため、投写レンズ群２４が移動して光路長が変化してもスクリーンＳＣに投写される緑色光の照度は変化しないこととなる。
【００３７】
次に、ホワイトバランスを調整するときの動作について、図６を用いて説明する。作業者は、光量調整モードを終了させると、次に操作部１６を操作し、プロジェクター１のモードを、ホワイトバランスを調整するホワイトバランス調整モードにする。制御部１０は、ホワイトバランス調整モードに移行すると、シフト制御部３６を制御し、投写レンズ群２４の位置を所定位置（位置Ａ）に移動させる（ステップＳＢ１）。
【００３８】
次に作業者は、測定器２を操作し、投写された画像内の特定位置について、レーザー光源４２Ｒから出力されてスクリーンＳＣに到達した赤色光の光量、レーザー光源４２Ｇから出力されてスクリーンＳＣに到達した緑色光の光量およびレーザー光源４２Ｂから出力されてスクリーンＳＣに到達した青色光の光量の比を測定する（ステップＳＢ２）。作業者は、赤色光、緑色光および青色光の光量比が所定の比となるように、測定器２の測定結果を確認しながら操作部１６を操作してレーザー光源４２Ｒの光量と、レーザー光源４２Ｂの光量とを調整する（ステップＳＢ３）。
【００３９】
作業者は、測定された赤色光、緑色光および青色光の光量比が所定の比になると、操作部１６を操作し、光量比が所定の比となっているときにセンサー１４が測定した測定値である赤色光、緑色光および青色光の光量比を、投写レンズ群２４の位置に対応付けて記憶部１５に記憶させる（ステップＳＢ４）。また、作業者は、投写レンズ群２４を移動させ、所定位置以外についても、測定器２で測定された赤色光、緑色光および青色光の光量比が所定の比となるように、レーザー光源４２Ｒの光量およびレーザー光源４２Ｂの光量を調整し、センサー１４が測定した測定値である赤色光、緑色光および青色光の光量比を、投写レンズ群２４の位置に対応付けて記憶部１５に記憶させる（ステップＳＢ５〜ステップＳＢ７）。作業者は、位置Ａ〜位置Ｅについて、センサー１４が測定した赤色光、緑色光および青色光の光量比を記憶部１５に記憶させると（ステップＳＢ８でＹＥＳ）、ホワイトバランス調整モードを終了させる操作を操作部１６において行う。
【００４０】
ホワイトバランス調整モードが終了し、図７に例示したように位置Ａ〜位置Ｅの各々に対応付けてセンサー１４の測定結果が記憶されると、制御部１０は、投写レンズ群２４の位置に対応付けて記憶されている緑色光の光量の調整値と、センサー１４が測定した赤色光、緑色光および青色光の光量比を記憶部１５から取得し、レーザー光源４２Ｇ、レーザー光源４２Ｒおよびレーザー光源４２Ｂの光量を、取得した調整値および光量比を用いて制御する。
【００４１】
例えば、投写レンズ群２４の位置が位置Ｂの場合、制御部１０は、レーザー光源４２Ｇの光量をＶＧ１とする制御信号を光源制御部５０へ出力する。さらに、制御部１０は、センサー１４の測定した赤色光、緑色光および青色光の光量比がＲ１：Ｇ１：Ｂ１となるように、光源制御部５０へ制御信号を出力し、レーザー光源４２Ｒおよびレーザー光源４２Ｂの光量を制御する。
また、例えば、投写レンズ群２４の位置が位置Ａの場合、制御部１０は、レーザー光源４２Ｇの光量をＶＧ２とする制御信号を光源制御部５０へ出力する。さらに、制御部１０は、センサー１４の測定した赤色光、緑色光および青色光の光量比がＲ２：Ｇ２：Ｂ２となるように、光源制御部５０へ制御信号を出力し、レーザー光源４２Ｒおよびレーザー光源４２Ｂの光量を制御する。
【００４２】
これにより、プロジェクター１においては、投写レンズ群２４を移動させても、緑色光の照度が基準位置のときの照度と同じ照度となるように、レーザー光源４２Ｇの光量が制御される。また、プロジェクター１においては、赤色光、緑色光および青色光の光量比が所定の比となるように、移動後の位置に応じてレーザー光源４２Ｒおよびレーザー光源４２Ｂの出力値が制御されるため、投写レンズ群２４が移動して光路長が変化しても、スクリーンＳＣに投写される画像のホワイトバランスは変化しないこととなる。
【００４３】
（経時変化によりレーザー光源の光量が変化したときの動作例）
次に、経時変化によりレーザー光源の光量が変化したときの動作例について説明する。制御部１０は、例えば、プロジェクター１の操作部１６において、電源をオフにする操作またはホワイトバランスの自動調整モードにする操作が行われると、自動調整モードへ移行する。
制御部１０は、自動調整モードに移行すると、センサー１４が測定した赤色光、緑色光および青色光の光量比を取得する（ステップＳＣ１）。次に制御部１０は、この時点における投写レンズ群２４の位置に対応付けて記憶部１５に記憶されている赤色光、緑色光および青色光の光量比を取得し（ステップＳＣ２）、記憶部１５から取得した光量比とセンサー１４が測定した光量比とを比較する。
【００４４】
制御部１０は、記憶部１５から取得した光量比と、センサー１４が測定した光量比が同じである場合（ステップＳＣ３でＹＥＳ）、自動調整モードを終了する（ステップＳＣ６）。一方、制御部１０は、記憶部１５から取得した光量比と、センサー１４が測定した光量比が異なる場合、レーザー光源の光量の調整を行う。
【００４５】
まず、制御部１０は、レーザー光源４２Ｇの光量の調整を行う（ステップＳＣ４）。具体的には、まず制御部１０は、シフト制御部３６を制御して投写レンズ群２４を基準位置に移動させ、センサー１４が測定した赤色光、緑色光および青色光の光量比（Ｒ１１：Ｇ１１：Ｂ１１）を取得する。また、制御部１０は、基準位置（ここでは位置Ｂ）に対応付けて記憶されている光量比（Ｒ１：Ｇ１：Ｂ１）を記憶部１５から取得する。
【００４６】
次に制御部１０は、基準位置以外の位置（例えば位置Ａ）を選択し、選択した位置Ａに投写レンズ群２４を移動させ、選択した位置Ａに対応付けて記憶部１５に記憶されている赤色光、緑色光および青色光の光量比（Ｒ２：Ｇ２：Ｂ２）を取得する。制御部１０は、記憶部１５から取得した光量比を用い、製造時のときの基準位置（位置Ｂ）における緑色光の光量と、製造時のときの位置Ａにおける緑色光の光量の比を算出する。基準位置における赤色光、緑色光および青色光の光量比が「Ｒ１：Ｇ１：Ｂ１」であり、選択した位置Ａにおける赤色光、緑色光および青色光の光量比が「Ｒ２：Ｇ２：Ｂ２」である場合、基準位置の緑色光の光量と、選択した位置における緑色光の光量の比は、Ｇ１：Ｇ２となる。
【００４７】
次に制御部１０は、投写レンズ群２４の位置が基準位置のときにセンサー１４が測定した緑色光の光量（Ｇ１１）と、位置Ａでセンサー１４が測定した緑色光の光量との比が、算出した比（Ｇ１：Ｇ２）となるように、センサー１４の測定結果をモニタリングしつつ、レーザー光源４２Ｇの光量を制御する。制御部１０は、センサー１４が測定した赤色光、緑色光および青色光の光量比（Ｒ２１：Ｇ２１：Ｂ２１）を取得し、Ｇ１１：Ｇ２１＝Ｇ１：Ｇ２）となると、このときのレーザー光源４２Ｇの光量の調整値を、投写レンズ群２４の位置Ａに対応付けて記憶部１５に記憶させる。制御部１０は、他の位置Ｃ〜位置Ｅについても、位置Ａのときと同様にレーザー光源４２Ｇの光量を調整し、調整されたレーザー光源４２Ｇの光量の調整値を、投写レンズ群２４の位置に対応付けて記憶部１５に記憶させる。
【００４８】
次に制御部１０は、ホワイトバランスの調整を行う（ステップＳＣ５）。具体的には、制御部１０は、シフト制御部３６を制御し、投写レンズ群２４の位置を基準位置（位置Ｂ）に移動させ、基準位置に対応付けて記憶されているレーザー光源４２Ｇの光量の調整値を取得し、取得した調整値に応じた制御信号を光源制御部５０へ出力する。また、制御部１０は、基準位置に対応付けて記憶されている光量比（Ｒ１：Ｇ１：Ｂ１）を記憶部１５から取得する。
【００４９】
制御部１０は、センサー１４が測定した光量比と、記憶部１５から取得した光量比とが同じとなるように、光源制御部５０へ制御信号を出力し、レーザー光源４２Ｒおよびレーザー光源４２Ｂの光量を制御する。制御部１０は、センサー１４が測定した光量比と、記憶部１５から取得した光量比とが同じとなると、投写レンズ群２４の位置に対応付けて、レーザー光源４２Ｒの光量の調整値と、レーザー光源４２Ｂの光量の調整値とを記憶部１５に記憶させる。
【００５０】
制御部１０は、基準位置以外についても、投写レンズ群２４を移動させ、移動した位置に対応付けて記憶されているレーザー光源４２Ｇの光量の調整値を取得し、取得した調整値に応じた制御信号を光源制御部５０へ出力する。また、制御部１０は、移動した位置に対応付けて記憶されている光量比と、センサー１４が測定した光量比とが同じとなるように、光源制御部５０へ制御信号を出力してレーザー光源４２Ｒおよびレーザー光源４２Ｂの光量を制御し、光量比が同じとなると、投写レンズ群２４の位置に対応付けて、レーザー光源４２Ｒの光量の調整値と、レーザー光源４２Ｂの光量の調整値とを記憶部１５に記憶させる。
【００５１】
制御部１０は、位置Ａ〜位置Ｅについて、レーザー光源４２Ｒの光量の調整値と、レーザー光源４２Ｂの光量の調整値とを記憶部１５に記憶させると、ホワイトバランスの調整を終了し、自動調整モードを終了する（ステップＳＣ６）。自動調整モードが終了し、図９に例示したように位置Ａ〜位置Ｅの各々に対応付けて各レーザー光源の光量の調整値が記憶されると、制御部１０は、投写レンズ群２４の位置に対応付けて記憶されている調整値を記憶部１５から取得し、レーザー光源４２Ｇ、レーザー光源４２Ｒおよびレーザー光源４２Ｂの光量を、取得した調整値を用いて制御する。
【００５２】
例えば、投写レンズ群２４の位置が位置Ｂの場合、制御部１０は、レーザー光源４２Ｇの光量をＶＧ１とし、レーザー光源４２Ｒの光量をＶＲ１とし、レーザー光源４２Ｂの光量をＶＢ１とする制御信号を光源制御部５０へ出力する。また、例えば、投写レンズ群２４の位置が位置Ｂの場合、制御部１０は、レーザー光源４２Ｇの光量をＶＧ２１とし、レーザー光源４２Ｒの光量をＶＲ２とし、レーザー光源４２Ｂの光量をＶＢ２とする制御信号を光源制御部５０へ出力する。
【００５３】
これにより、プロジェクター１においては、赤色光、緑色光および青色光の光量比が所定の比となるように、移動後の位置に応じて各レーザー光源の光量が制御されるため、経時変化によりレーザー光源の光量が製造時から変化しても、スクリーンＳＣに投写される画像のホワイトバランスは変化しないこととなる。
【００５４】
［変形例］
以上、本発明の実施形態について説明したが、本発明は上述した実施形態に限定されることなく、他の様々な形態で実施可能である。例えば、上述の実施形態を以下のように変形して本発明を実施してもよい。なお、上述した実施形態及び以下の変形例は、各々を組み合わせてもよい。
【００５５】
上述した実施形態においては、光源としてレーザー光源を採用しているが、光源はレーザー光源に限定されるものではなく、例えばＬＥＤを用いた光源であってもよい。
【００５６】
上述した実施形態においては、基準光をレーザー光源４２Ｇが発する緑色光としているが、基準光は、緑色光に限定されるものではなく、レーザー光源４２Ｒが発する赤色光またはレーザー光源４２Ｂが発する青色光であってもよい。
【００５７】
上述した実施形態においては、プロジェクター１は、レーザー光源４２Ｒ、レーザー光源４２Ｇおよびレーザー光源４２Ｂを有する構成となっているが、この構成に限定されるものではなく、例えば、青色光を発するレーザー光源を２つ有する構成としてもよい。この構成の場合、一方のレーザー光源（第２光源）から発した青色光を蛍光体ホイールに照射し、レーザー光を黄色光に変換する。そして、ダイクロイックミラーやミラーにより黄色光から緑色光と赤色光とを分光し、分光された緑色光を拡散板４３Ｇへ導き、分光された赤色光を拡散板４３Ｒへ導く構成とする。ここで、蛍光体ホイール、ダイクロイックミラーおよびミラーは、赤色光と緑色光を生成する生成部として機能する。
また、レーザー光源の光量の調整を行う際には、基準光を黄色光とし、黄色光の照度を測定器２で測定し、蛍光体ホイールにレーザー光を照射するレーザー光源の光量を、測定器２の測定結果に応じて調整する。また、ホワイトバランスを調整する際には、黄色光の光量と青色光の光量の比を測定器２で測定し、黄色光の光量と青色光の光量の比が所定の比となるように、拡散板４３Ｂへ青色光を照射するレーザー光源４２Ｂ（第１光源）の光量を調整する。
この構成においても、赤色光、緑色光および青色光の光量比が所定の比となるように、移動後の位置に応じて各レーザー光源の光量が制御されるため、経時変化によりレーザー光源の光量が製造時から変化しても、スクリーンＳＣに投写される画像のホワイトバランスは変化しないこととなる。
なお、上述の構成では、蛍光体ホイールにより黄色光を得ているが、黄色光を発するレーザー光源を用いる構成としてもよい。
【００５８】
上述した実施形態においては、光学部２３は、投写レンズ群２４のレンズを移動させて投写する画像の拡大や縮小を行うズーム機構を有し、光学系制御部３４は、モーターによりズーム機構を制御するズーム制御部を有する構成としてもよい。また、光学部２３は、投写する画像の光量を制限する絞りと、絞り値を変更する絞り機構とを有し、光学系制御部３４は、モーターにより絞りを動かして絞り値を制御する絞り制御部を有する構成としてもよい。このように、ズーム機構を有する構成においては、ズーム機構により投写レンズ群２４を移動したときの各位置において、レンズシフトのときと同様にレーザー光源の光量の調整やホワイトバランスの調整を行うようにしてもよい。また、絞り機構を有する構成においても、絞りの絞り値ごとに、レンズシフトのときと同様にレーザー光源の光量の調整やホワイトバランスの調整を行うようにしてもよい。
【００５９】
上述した実施形態においては、位置Ａ〜位置Ｅ以外の位置へ投写レンズ群２４を移動させた場合、投写レンズ群２４の位置に対応付けて記憶されている調整値や光量比を用い、
線形補間や多項式補間、またはスプライン補間などの補間方法により、移動した位置におけるレーザー光源の光量の調整値を算出し、算出した調整値で各レーザー光源を制御するようにしてもよい。
例えば、位置Ａと位置Ｂとの中間点に投写レンズ群２４を移動させた場合、図７に示したように、位置Ａにおけるレーザー光源４２Ｇの光量の調整値がＶＧ２であり、位置Ｂにおけるレーザー光源４２Ｇの光量の調整値がＶＧ１であると、中間点におけるレーザー光源４２Ｇの光量の調整値については、（ＶＧ１＋ＶＧ２）／２とする。
また、この中間点における赤色光、緑色光および青色光の光量比については、位置Ｂに対応付けて記憶されている「Ｒ１：Ｇ１：Ｂ１」と位置Ｂに対応づけて記憶されている「Ｒ２：Ｇ２：Ｂ２」から中間点における光量比を算出し、算出された光量比と、レーザー光源４２Ｇの調整値とからレーザー光源４２Ｒの光量の調整値とレーザー光源４２Ｂの光量の調整値を算出するようにしてもよい。
【符号の説明】
【００６０】
１…プロジェクター、２…測定器、１０…制御部、１１…インターフェース、１２…選択部、１４…センサー、１５…記憶部、１６…操作部、２０…投写部、２１…光源部、２２…光変調部、２２Ｒ，２２Ｇ，２２Ｂ…パネル、２３…光学部、２４…投写レンズ群、２６…レンズシフト機構、３１…画像処理部、３２…パネル駆動部、３４…光学系制御部、３６…シフト制御部、４１Ｒ，４１Ｇ，４１Ｂ…光源ドライバー、４２Ｒ，４２Ｇ，４２Ｂ…レーザー光源、４３Ｒ，４３Ｇ，４３Ｂ…拡散板、５０…光源制御部、ＰＳ１，ＰＳ２，ＰＳ３…パルス信号、ＳＣ…スクリーン
【図１】
0006326999.tif 000002
【図２】
0006326999.tif 000003
【図３】
0006326999.tif 000004
【図４】
0006326999.tif 000005
【図５】
0006326999.tif 000006
【図６】
0006326999.tif 000007
【図７】
0006326999.tif 000008
【図８】
0006326999.tif 000009
【図９】
0006326999.tif 000010